(57)【要約】【課題】スケジュールに登録した情報を用いて、ユーザの利便性を向上させることができるようにする。【解決手段】アイテム取得部は、スケジュールに登録されている登録情報に関連する関連情報を取得する。詳細情報表示制御部は、取得された関連情報を重要度に応じて所定の表示部に表示させる。この開示の技術は、例えば、スケジューラがインストールされている情報処理装置に適用できる。【選択図】図４
2012226649.tif 000002
【特許請求の範囲】
【請求項１】
スケジュールに登録されている登録情報に関連する関連情報を取得する関連情報取得部と、
取得された前記関連情報を重要度に応じて所定の表示部に表示させる表示制御部と
を備える情報処理装置。
【請求項２】
現在日から一定期間先までに登録されている前記登録情報を、前記ケジュールを管理するスケジューラから取得する登録情報取得部をさらに備える
請求項１に記載の情報処理装置。
【請求項３】
前記登録情報からキーワードを抽出するキーワード抽出部をさらに備え、
前記関連情報取得部は、前記登録情報から抽出された前記キーワードに関連する情報を取得することで、前記登録情報に関連する関連情報を取得する
請求項１に記載の情報処理装置。
【請求項４】
前記関連情報は、前記キーワードがタイトルまたは説明文に含まれる情報である
請求項３に記載の情報処理装置。
【請求項５】
前記関連情報取得部により取得された前記関連情報に対して、前記重要度を設定する重要度設定部をさらに備える
請求項１に記載の情報処理装置。
【請求項６】
前記重要度設定部は、他のユーザの閲覧状況に応じた前記重要度を設定する
請求項５に記載の情報処理装置。
【請求項７】
前記登録情報であるユーザの予定をカレンダ上に表示するスケジューラをさらに備える
請求項１に記載の情報処理装置。
【請求項８】
関連情報取得部と表示制御部を備え、スケジュールに登録されている情報を処理する情報処理装置の、
前記関連情報取得部が、前記スケジュールに登録されている登録情報に関連する関連情報を取得し、
前記表示制御部が、取得された前記関連情報を重要度に応じて所定の表示部に表示させる
ステップを含む情報処理方法。
【請求項９】
コンピュータに、
スケジュールに登録されている登録情報に関連する関連情報を取得し、
取得された前記関連情報を重要度に応じて所定の表示部に表示させる
ステップを含む処理を実行させるためのプログラム。
【発明の詳細な説明】
【技術分野】
【０００１】
本技術は、情報処理装置、情報処理方法、およびプログラムに関し、特に、スケジュールに登録した情報を用いて、ユーザの利便性を向上させることができるようにする情報処理装置、情報処理方法、およびプログラムに関する。
【背景技術】
【０００２】
パーソナルコンピュータや携帯電話機などにインストールされているアプリケーションとして、いわゆるスケジューラと呼ばれる、ユーザの今後の行動予定などを入力し、カレンダ上に表示して管理するアプリケーションがある。
【０００３】
例えば、ユーザの行動をレコメンドするToDoレコメンド装置からのレコメンドにより決定されたユーザの行動を、ユーザの予定としてスケジューラに登録するものがある（例えば、特許文献１参照）。
【先行技術文献】
【特許文献】
【０００４】
【特許文献１】特開２００９−９９１１６号公報
【発明の概要】
【発明が解決しようとする課題】
【０００５】
しかしながら、従来、ユーザがスケジューラに登録した今後の予定に関して詳細情報を知りたいときには、別途インターネットや雑誌などで調べる必要があった。例えば、近い将来、仙台に旅行へ行く予定がある場合には、ユーザは、仙台の観光場所や宿泊場所などを別途調べたりする必要がある。
【０００６】
本技術は、このような状況に鑑みてなされたものであり、スケジュールに登録した情報を用いて、ユーザの利便性を向上させることができるようにするものである。
【課題を解決するための手段】
【０００７】
本技術の一側面の情報処理装置は、スケジュールに登録されている登録情報に関連する関連情報を取得する関連情報取得部と、取得された前記関連情報を重要度に応じて所定の表示部に表示させる表示制御部とを備える。
【０００８】
本技術の一側面の情報処理方法は、関連情報取得部と表示制御部を備え、スケジュールに登録されている情報を処理する情報処理装置の、前記関連情報取得部が、前記スケジュールに登録されている登録情報に関連する関連情報を取得し、前記表示制御部が、取得された前記関連情報を重要度に応じて所定の表示部に表示させるステップを含む。
【０００９】
本技術の一側面のプログラムは、コンピュータに、スケジュールに登録されている登録情報に関連する関連情報を取得し、取得された前記関連情報を重要度に応じて所定の表示部に表示させるステップを含む処理を実行させるためのものである。
【００１０】
本技術の一側面においては、スケジュールに登録されている登録情報に関連する関連情報が取得され、取得された関連情報が重要度に応じて所定の表示部に表示される。
【００１１】
なお、プログラムは、伝送媒体を介して伝送することにより、又は、記録媒体に記録して、提供することができる。
【００１２】
情報処理装置は、独立した装置であっても良いし、１つの装置を構成している内部ブロックであっても良い。
【発明の効果】
【００１３】
本技術の一側面によれば、スケジュールに登録した情報を用いて、ユーザの利便性を向上させることができる。
【図面の簡単な説明】
【００１４】
【図１】本開示に係る情報処理システムの一実施の形態の構成例を示す図である。
【図２】携帯端末内のスケジューラの機能について説明する図である。
【図３】携帯端末内のスケジューラの機能について説明する図である。
【図４】スケジューラの機能的構成例を示すブロック図である。
【図５】関連情報表示制御処理を説明するフローチャートである。
【図６】図５のステップＳ３とＳ４の詳細を説明するフローチャートである。
【図７】アドインのソフトウェアである場合の関連情報表示制御処理を説明するフローチャートである。
【図８】クリック数提供処理を説明するフローチャートである。
【図９】単独のアプリケーションである場合の関連情報表示制御処理を説明するフローチャートである。
【図１０】本技術が適用されたコンピュータの一実施の形態の構成例を示すブロック図である。
【発明を実施するための形態】
【００１５】
以下、本技術を実施するための形態（以下、実施の形態という）について説明する。なお、説明は以下の順序で行う。
１．第1の実施の形態（関連情報表示機能を有するスケジューラの例）
２．第２の実施の形態（関連情報表示機能がアドインソフトで実現される例）
３．第３の実施の形態（関連情報表示機能のみを実現するソフトウェアの例）
【００１６】
＜第１の実施の形態＞
［情報処理システムの構成例］
図１は、本技術が適用された情報処理システムの一実施の形態の構成例を示している。
【００１７】
図１の情報処理システムは、携帯端末１と、それとネットワーク２を介して接続される、ニュース提供サーバ３A、画像提供サーバ３B、コミュニケーションサービスサーバ３C、およびアプリ関連サーバ４とで構成される。ここで、ネットワーク２は、移動体電話通信網、LAN、インターネットなどのネットワークの少なくとも１つで構成される。
【００１８】
なお、ニュース提供サーバ３A、画像提供サーバ３B、コミュニケーションサービスサーバ３C、およびアプリ関連サーバ４には、複数のユーザそれぞれの携帯端末１が同時にアクセスし、データを授受することが可能であるが、本実施の形態では、代表例として１台の携帯端末１について説明する。
【００１９】
携帯端末１は、例えば、スマートフォンと呼ばれる、携帯電話と携帯情報端末を融合させた高機能の携帯端末である。あるいは、携帯端末１は、例えば、ネットワーク接続機能を有するタブレット端末や、ノート型（携帯型）のパーソナルコンピュータなどでもよい。
【００２０】
携帯端末１には、スケジュールを管理するアプリケーションプログラムであるスケジューラ５１（図４）がインストールされている。スケジューラ５１は、プリインストールされていてもよいし、アプリマーケットなどのアプリケーションプログラムの提供サイトからダウンロードされたものでもよい。
【００２１】
ニュース提供サーバ３Aは、ネットワーク２を介して接続されている携帯端末１に、ニュース（の情報）を提供するサービスを行うサービスサーバである。ニュース提供サーバ３Aは、例えば、新聞社、テレビ放送局、ニュース提供サービス会社などにより運営される。
【００２２】
画像提供サーバ３Bは、ネットワーク２を介して接続されている携帯端末１に、画像（のデータ）を提供するサービスを行うサービスサーバである。提供される画像は、例えば、いわゆる画像投稿サイトなどの、画像提供サーバ３Bにアクセス可能な複数のユーザや会社（の端末）などからアップロードされた画像でもよい。なお、提供される画像には、動画像と静止画像の両方が含まれる。
【００２３】
コミュニケーションサービスサーバ３Cは、登録メンバとなっているユーザ（の携帯端末１）に対して、RSS（RDF Site Summary / Really Simple Syndication）、SNS(Social Networking Service)、ツイッター(twitter)などのサービスを提供するサービスサーバである。
【００２４】
以下において、ニュース提供サーバ３A、画像提供サーバ３B、およびコミュニケーションサービスサーバ３Cのそれぞれを特に区別しない場合には、それらを総称してサービスサーバ３という。
【００２５】
アプリ関連サーバ４は、携帯端末１で実行されるスケジューラ５１が処理に必要な情報を提供するサーバである。なお、スケジューラ５１の実行条件によっては、アプリ関連サーバ４からの情報を必要としない場合もあり、その場合には、アプリ関連サーバ４は省略することができる。
【００２６】
以上のように構成される情報処理システムにおいては、携帯端末１のスケジューラ５１が、ネットワーク２を介して各種のサービスサーバ３と接続し、所定の情報をやりとりする。そして、スケジューラ５１は、サービスサーバ３から取得した情報に基づいて、スケジュール管理機能だけでなく、スケジュールに登録した予定に関連する関連情報を携帯端末１のディスプレイに表示して、ユーザに提供することができる。
【００２７】
［スケジューラ５１の機能説明］
そこで、初めに、図２および図３を参照して、スケジューラ５１の機能について説明する。
【００２８】
図２は、スケジューラ５１により携帯端末１のディスプレイに表示される画面の例を示している。
【００２９】
スケジューラ５１が起動されると、図２に示される、カレンダ画面２１が、携帯端末１のディスプレイに表示される。
【００３０】
図２の例は、スケジューラ５１を起動した日が２０１０年２月４日である場合の例であり、起動日当日である２月４日が、それ以外の日とは異なる色で表示されている。
【００３１】
なお、図２のカレンダ画面２１は、月単位で表示するモードであり、現在日が含まれる現在月を構成する全日が表示されているが、カレンダ画面２１は、その他、年単位、週単位、数日単位、１日単位等で表示させることもできる。
【００３２】
カレンダ画面２１のそれぞれの日にちはセルになっており、ユーザが、所定の日に予定を登録したい場合には、予定を登録したい日のセルを選択する。セルの選択は、例えば、携帯端末１のディスプレイがタッチパネルとなっており、ユーザが所望の日を指でタッチすることで行うことができる。
【００３３】
カレンダ画面２１内の所定の日が選択されると、スケジューラ５１は予定表示画面２２を表示させ、ユーザは選択した日に、予定となる情報を登録（入力）することができる。また、既に登録されている予定がある場合には、予定表示画面２２に、既に登録されている予定が表示される。
【００３４】
図２の例では、２月１４日のセルが選択されており、２月１４日が、起動日当日の２月４日およびそれ以外の日のいずれとも異なる色で表示され、選択されていることを示している。そして、２月１４日の予定を表示する予定表示画面２２には、「仙台旅行」が予定として登録されている。この「仙台旅行」は、２月１４日の予定としてユーザによって登録された登録情報である。
【００３５】
予定表示画面２２には、ユーザによって登録された登録情報以外に、スケジューラ５１によって検索された、登録情報に関連する情報の件数を示す関連件数表示部２３ａが表示されている。なお、以下では、スケジューラ５１によって検索されて取得される、登録情報に関連する情報を、関連情報またはアイテムともいう。
【００３６】
図２の例では、関連件数表示部２３ａに、「関連情報５件」と表示されており、２月１４日の登録情報「仙台旅行」に関連するアイテムが５件検索され、取得されていることを示している。
【００３７】
また、関連件数表示部２３ａの「関連情報５件」の表示に対応して、カレンダ画面２１内の２月１４日のセルにも、アイテムの件数を表す数字を丸で囲んで示した関連件数表示部２３ｂが表示されている。
【００３８】
カレンダ画面２１内の２月１４日以外の日のセル内に表示されている、丸で囲んで示されている数字も同様であり、例えば、起動日当日の２月４日には、登録情報に関連するアイテムが２件あることを示している。
【００３９】
予定表示画面２２の関連件数表示部２３ａが、ユーザの指でタッチされるなどによって選択されると、図３に示す関連情報詳細表示画面３１が表示される。
【００４０】
すなわち、図３は、２月１４日の予定表示画面２２の関連件数表示部２３ａが選択されたときに、スケジューラ５１によって携帯端末１のディスプレイに表示される関連情報詳細表示画面３１の例を示している。
【００４１】
関連情報詳細表示画面３１は、関連件数表示部２３ａに表示された件数分のアイテムのタイトルとキーワードを表示する。図３の関連情報詳細表示画面３１では、２月１４日の登録情報「仙台旅行」に関連する情報として取得された５件のアイテムのタイトルとキーワードが表示される。
【００４２】
関連情報詳細表示画面３１では、１つのセル４１に１つのアイテムが表示される。アイテムが複数ある場合には、スケジューラ５１によって決定された重要度（ポイント）の高い順に表示される。図３の例では、各セル４１のアイテムの重要度は、セル４１−１、４１−２、４１−３、・・・の順に高くなっている。なお、関連情報詳細表示画面３１が一度に表示可能なアイテムの件数（即ち、セル４１の個数）は、携帯端末１のディスプレイのサイズや解像度などによって異なる。
【００４３】
アイテムの検索方法の詳細は後述するが、スケジューラ５１は、カレンダ画面２１に登録されている予定（文字列）に対して形態素解析や構文解析などを行い、キーワードを抽出する。そして、スケジューラ５１は、抽出されたキーワードを、ニュース提供サーバ３Aや画像提供サーバ３Bなどのサービスサーバ３に送信し、サービスサーバ３にキーワードに関連する情報を検索させる。
【００４４】
サービスサーバ３は、受信したキーワードがタイトルまたは説明文（詳細情報）に含まれる情報を検索し、スケジューラ５１に返信する。より具体的には、例えば、ニュース提供サーバ３Aは、受信したキーワードがタイトルまたは説明文（詳細情報）に含まれるニュースを検索し、返信する。画像提供サーバ３Bは、受信したキーワードがタイトルまたは説明文（詳細情報）に含まれる画像（動画像または静止画像）を検索し、返信する。コミュニケーションサービスサーバ３Cは、受信したキーワードがタイトルまたは説明文（詳細情報）に含まれるツィート（つぶやいたコメント）を検索し、返信する。
【００４５】
関連情報詳細表示画面３１には、以上のような検索の結果得られた情報であるアイテムのタイトルが、どのようなキーワードで検索されたものであるかを示すキーワードとともに表示される。
【００４６】
ユーザは、関連情報詳細表示画面３１の各セル４１に表示されたアイテムのタイトルとキーワードを閲覧し、アイテムの詳細を表示させたい場合に、そのセル４１を選択（タッチ）する。スケジューラ５１は、所定のセル４１が選択された場合、選択されたセル４１のアイテムの詳細情報を表示する。
【００４７】
以上のように、スケジューラ５１は、通常のユーザの予定を管理（登録、閲覧）する機能だけではなく、登録された予定に関連する情報を所定のサービスサーバ３から取得して、ユーザに提供（表示）する機能を有している。これにより、ユーザは通常のスケジュール機能を利用するだけで、自分の予定に関連する情報も閲覧できるので、利便性が向上する。
【００４８】
［スケジューラ５１の機能構成ブロック図］
図４は、スケジューラ５１の機能的構成例を示すブロック図である。
【００４９】
スケジューラ５１は、スケジュール管理部６１およびスケジュール関連情報提供部６２を備える。また、スケジュール関連情報提供部６２は、スケジュール登録情報取得部７１、キーワード抽出部７２、辞書DB７２ａ、アイテム取得部７３、重要度ポイント設定部７４、詳細情報表示制御部７５、およびアイテム記憶部７６により構成される。
【００５０】
スケジュール管理部６１は、通常のスケジュール管理アプリケーションに相当する部分であり、図２に示したカレンダ画面２１を表示して、ユーザによって入力された予定をカレンダ上に表示したり、編集可能として、スケジュールを管理する。
【００５１】
スケジュール管理部６１では、例えば、１日単位などの所定の日数単位、または、１日をさらに細分化した１時間単位などの所定の時間単位で、ユーザの予定が入力可能となっている。入力されたユーザの予定は、登録情報として、カレンダ情報記憶部６１ａに記憶される。
【００５２】
スケジュール関連情報提供部６２は、スケジュール管理部６１と連携して、登録されたユーザの予定に関連する情報を所定のサービスサーバ３から取得して、ユーザに提供（表示）する機能を実行する。
【００５３】
スケジュール登録情報取得部７１は、現在日から一定期間先までに登録されている登録情報を、スケジュール管理部６１のカレンダ情報記憶部６１ａから取得する。スケジュール管理部６１で入力可能な情報が、タイトル、詳細入力欄、場所（住所）などの複数の項目に分かれている場合には、スケジュール登録情報取得部７１は、どの項目に入力されている情報であるかも識別して取得する。例えば、スケジュール登録情報取得部７１が、場所の項目に入力された情報を取得した場合には、その情報を場所の情報として認識する。なお、現在日からどれくらい先までを検索期間とするかは、ユーザにより任意に設定可能である。
【００５４】
キーワード抽出部７２は、辞書DB７２ａに記憶されている単語辞書や解析用文法規則に基づいて、スケジュール登録情報取得部７１により取得された登録情報それぞれに対して形態素解析や構文解析などの言語解析を行うことで、キーワードを抽出する。キーワード抽出部７２は、抽出したキーワードを、地名、人名などに分類することもできる。辞書DB７２ａには、各単語の表記や、解析用文法を適用するために必要な品詞情報などが記述された単語辞書と、その単語辞書に記述された各単語の情報に基づいて単語連鎖に関する制約等が記述された解析用文法規則が記憶されている。
【００５５】
アイテム取得部７３は、キーワード抽出部７２により抽出されたキーワードをサービスサーバ３に送信し、その結果返信されてくる、キーワードに関連する情報を、アイテム（関連情報）として取得する。アイテム取得部７３は、取得したアイテムごとに、アイテムのタイトルとキーワードを、アイテム記憶部７６に記憶させる。
【００５６】
重要度ポイント設定部７４は、アイテム取得部７３が取得した１以上のアイテムに対して重要度に応じたポイントを設定し、アイテム記憶部７６に記憶されたアイテムと対応付けて記憶させる。ポイントは、重要度が高いと考えられるアイテムほど高くなる。
【００５７】
本実施の形態では、重要度ポイント設定部７４は、他のユーザの閲覧状況から、一般的にユーザの興味が強いと思われるものほど、重要度が高くなるようにポイントを設定することとする。より具体的には、重要度ポイント設定部７４は、アイテムごとのクリック数を管理するアプリ関連サーバ４とデータの授受を行い、他のユーザがアイテムをクリック（選択）した数であるクリック数に応じてポイントを設定する。
【００５８】
その他、例えば、重要度ポイント設定部７４は、直近の予定に関連するアイテムほど、即ち、現在日から予定日までの日数が短いほど、重要度が高くなるようにポイントを設定することができる。また例えば、重要度ポイント設定部７４は、毎週登録されている予定など、繰り返し登録されている同一または類似の予定に関連するアイテムほど、重要度が低くなるようにポイントを設定することができる。このようなポイントの設定では、スケジューラ５１自身が保有する情報のみでポイントを設定することができるため、アプリ関連サーバ４とデータの授受を行う必要が無く、アプリ関連サーバ４を省略することができる。
【００５９】
詳細情報表示制御部７５は、重要度に応じて表示された複数のアイテムのうち、ユーザによって表示することが選択されたアイテムの詳細情報を表示させる制御などを行う。具体的には、詳細情報表示制御部７５は、図３の関連情報詳細表示画面３１をディスプレイに表示させるとともに、ユーザにより選択されたセル４１のアイテムの詳細情報をディスプレイに表示させる制御を行う。
【００６０】
アイテム記憶部７６は、取得したアイテムごとに、アイテムのタイトルとキーワードを、記憶する。また、アイテム記憶部７６は、アイテムのタイトル及びキーワードと対応付けて、そのアイテムの詳細情報を表示するためのサービスサーバ３のURL(Uniform Resource Locator)も記憶する。
【００６１】
［関連情報表示制御処理のフロー］
次に、図５のフローチャートを参照して、スケジューラ５１によって実行される、スケジュールに登録されている登録情報に基づき、関連情報を表示する関連情報表示制御処理について説明する。この処理は、例えば、スケジューラ５１が起動されたとき開始される。
【００６２】
初めに、ステップＳ１において、スケジュール登録情報取得部７１は、現在日から一定期間先までの登録情報を、カレンダ情報記憶部６１ａから取得する。
【００６３】
ステップＳ２において、キーワード抽出部７２は、スケジュール登録情報取得部７１により取得された登録情報それぞれに対して形態素解析や構文解析などの言語解析を行い、キーワードを抽出する。
【００６４】
ステップＳ３において、アイテム取得部７３は、キーワード抽出部７２により抽出されたキーワードをサービスサーバ３に送信し、その結果返信されてくる、キーワードに関連するアイテム（関連情報）を取得する。そして、アイテム取得部７３は、取得したアイテムのタイトル及びその詳細情報のURLとキーワードを、アイテム記憶部７６に記憶させる。
【００６５】
ステップＳ４において、重要度ポイント設定部７４は、アイテム取得部７３が取得した１以上のアイテムに対して重要度に応じたポイントを設定する。ステップＳ４の処理では、アイテムごとのクリック数を管理するアプリ関連サーバ４と通信を行い、他のユーザのクリック数に応じたポイントが各アイテムに設定される。
【００６６】
ステップＳ５において、詳細情報表示制御部７５は、各アイテムに設定されたポイントに基づいて、表示するアイテムを決定する。例えば、詳細情報表示制御部７５は、ポイントが所定の閾値未満である低いポイントのアイテムは非表示とし、所定の閾値以上のポイントを有するアイテムを、表示するアイテムに決定する。あるいは、詳細情報表示制御部７５は、ポイントの高い上位N個（N＞０）を、表示するアイテムに決定してもよい。ステップＳ５では、非表示と決定したアイテムのタイトルとキーワードなどを、アイテム記憶部７６から削除する処理も、詳細情報表示制御部７５によって行われる。
【００６７】
ステップＳ６において、詳細情報表示制御部７５は、カレンダ画面２１内の日ごとに、表示可能なアイテムの件数を表示させる。即ち、詳細情報表示制御部７５は、図２のカレンダ画面２１における関連件数表示部２３ｂを表示させる。
【００６８】
ステップＳ７において、詳細情報表示制御部７５は、カレンダ画面２１において所定の日付（のセル）が選択されたかを判定する。
【００６９】
ステップＳ７で、所定の日付が選択されたと判定された場合、処理はステップＳ８に進み、詳細情報表示制御部７５は、選択された日付の登録情報と表示可能アイテムの件数を表示する。即ち、詳細情報表示制御部７５は、図２に示したような、選択された日付の登録情報を記載した予定表示画面２２を表示させるとともに、選択された日付の表示可能アイテムの件数を記載した関連件数表示部２３ａを表示させる。
【００７０】
一方、ステップＳ７で、所定の日付が選択されていないと判定された場合、または、ステップＳ８の処理後、処理はステップＳ９に進み、詳細情報表示制御部７５は、表示可能アイテムの件数が選択されたかを判定する。即ち、関連件数表示部２３ａがユーザにより選択されたか否かが判定される。
【００７１】
ステップＳ９で、表示可能アイテムの件数が選択されていないと判定された場合、処理はステップＳ７に戻り、上述したステップＳ７乃至Ｓ９の処理が繰り返される。
【００７２】
一方、ステップＳ９で、表示可能アイテムの件数が選択されたと判定された場合、処理はステップＳ１０に進み、詳細情報表示制御部７５は、選択された日付の登録情報に対応するアイテムのタイトルとキーワードを、ポイントの高い順に、関連情報詳細表示画面３１により表示する。
【００７３】
そして、ステップＳ１１において、詳細情報表示制御部７５は、関連情報詳細表示画面３１の所定のセル４１が選択されたかを判定する。即ち、詳細情報表示制御部７５は、関連情報詳細表示画面３１に表示した複数のアイテムのタイトルとキーワードのなかの、いずれか１つが選択されたかを判定する。
【００７４】
ステップＳ１１では、関連情報詳細表示画面３１の所定のセル４１が選択されたと判定されるまで処理が待機される。そして、ステップＳ１１で、関連情報詳細表示画面３１の所定のセル４１が選択されたと判定された場合、ステップＳ１２において、詳細情報表示制御部７５は、選択されたセル４１に対応するアイテムの詳細情報を表示する。
【００７５】
関連情報詳細表示画面３１の所定のセル４１が選択された場合、関連情報詳細表示画面３１が、その選択されたセル４１のアイテムの詳細情報のアクセス先であるURLをアイテム記憶部７６から取得してアクセスすることにより、選択されたセル４１に対応するアイテムの詳細情報が表示される。
【００７６】
ステップＳ１３において、スケジューラ５１は、アプリケーションの終了が指示されたかを判定する。ステップＳ１３で、アプリケーションの終了が指示されていないと判定された場合、処理はステップＳ７に戻る。これにより、上述したステップＳ７乃至Ｓ１３の処理が繰り返される。
【００７７】
一方、ステップＳ１３で、アプリケーションの終了が指示されたと判定された場合、関連情報表示制御処理が終了する。
【００７８】
［ステップＳ３とＳ４の詳細処理のフロー］
図６のフローチャートを参照して、スケジューラ５１が、キーワードに基づいてアイテムを取得する処理について説明する。換言すれば、図６は、図５のステップＳ３とＳ４の詳細を説明するフローチャートであり、特に、サービスサーバ３として、ニュース提供サーバ３Aにアクセスする場合の例を示している。
【００７９】
初めに、ステップＳ３１Ａにおいて、スケジューラ５１のアイテム取得部７３は、キーワード抽出部７２により抽出されたキーワードをニュース提供サーバ３Aに送信し、キーワードを含むニュースの検索をニュース提供サーバ３Aに指令する。
【００８０】
ステップＳ３１Ｂにおいて、ニュース提供サーバ３Aは、受信したキーワードを含むニュースを検索し、検索結果として、検索されたニュースのタイトルとその詳細情報（詳細記事）のURLをスケジューラ５１に送信する。
【００８１】
ステップＳ３１Ｃにおいて、スケジューラ５１のアイテム取得部７３は、ニュース提供サーバ３Aから送信されてきたアイテムを受信し、送信したキーワードと対応付けてアイテム記憶部７６に記憶させる。即ち、アイテム取得部７３は、ニュース提供サーバ３Aから送信されてきた、ニュースのタイトルとその詳細情報のURLを、送信したキーワードと対応付けてアイテム記憶部７６に記憶させる。
【００８２】
以上のステップＳ３１Ａ乃至Ｓ３１Ｃの処理が、上述した図５のステップＳ３の処理に対応する。ステップＳ３１Ａ乃至Ｓ３１Ｃの処理は、抽出されたキーワード全てについて実行される。
【００８３】
そして、ステップＳ４１Ａにおいて、スケジューラ５１の重要度ポイント設定部７４は、取得したニュースの詳細情報のURLを、アプリ関連サーバ４に送信する。
【００８４】
アプリ関連サーバ４は、各種のサービスサーバ３で提供される各種のサービスに対する多数のユーザの閲覧状況を管理している。ニュース提供サーバ３Aについては、ニュース提供サーバ３Aが提供するニュースの詳細情報が閲覧された回数が、ニュースの詳細情報のURLのクリック数として記憶されている。
【００８５】
ステップＳ４１Ｂにおいて、アプリ関連サーバ４は、スケジューラ５１から送信されてきたニュースの詳細情報のURLを受信し、そのURLのクリック数を、スケジューラ５１に送信（返信）する。
【００８６】
ステップＳ４１Ｃにおいて、スケジューラ５１の重要度ポイント設定部７４は、アプリ関連サーバ４からのクリック数を受信し、受信したクリック数に基づいて、アイテムのポイントを設定する。例えば、重要度ポイント設定部７４は、１００回のクリック数に応じて１ポイントを設定したり、所定範囲のクリック数とポイントとが対応付けられたテーブル等を参照してポイントを設定する。また、クリック数そのものをポイントとしてもよい。
【００８７】
以上のステップＳ４１Ａ乃至Ｓ４１Ｃの処理が、上述した図５のステップＳ４の処理に対応する。ステップＳ４１Ａ乃至Ｓ４１Ｃの処理は、取得されたアイテム全てについて実行される。
【００８８】
以上説明したように、図５および図６を参照して説明した関連情報表示制御処理によれば、アイテム取得部７３が、現在日から所定期間先までの一定期間に、スケジューラ５１に登録されている登録情報に関連するアイテム（関連情報）を取得する。そして、取得されたアイテムの件数がカレンダの対応する日のセルに表示される。アイテムの件数が表示されている日のセルをユーザが選択すると、選択された日の予定表示画面２２と、アイテムの件数を示す関連件数表示部２３ａが表示される。ユーザが関連件数表示部２３ａを選択すると、詳細情報表示制御部７５が関連情報詳細表示画面３１を表示させる。関連情報詳細表示画面３１には、選択した日のアイテムの詳細情報が重要度に応じて表示される。
【００８９】
従って、ユーザは、通常のスケジューラと同様に、スケジューラ５１に予定を登録するだけで、ユーザは、登録した予定に関連する関連情報を閲覧することができるようになる。これにより、自ら関連情報を検索する手間を省略することができ、利便性が向上する。
【００９０】
また、関連情報は、重要度に応じて表示されるので、スケジューラ５１に登録されている登録情報に対して多数の関連情報が取得された場合であっても、重要なものから効率よく閲覧することができる。さらに、上述した実施の形態では、重要度を、他のユーザの閲覧状況に応じて設定するようにしたので、一般的にユーザの興味が強いと思われるものから効率よく閲覧することができる。
【００９１】
＜第２の実施の形態＞
［アドインソフトとして提供される場合の処理例］
上述した実施の形態では、スケジューラ５１が、通常のスケジュール管理機能だけでなく、スケジュールに登録された予定の関連情報を表示する関連情報表示機能も有していた。
【００９２】
しかし、関連情報表示機能は、通常のスケジューラにアドイン（アドオン）されるアプリケーションとして、通常のスケジュール管理機能のアプリケーションとは別に提供されてもよい。
【００９３】
図７および図８は、関連情報表示機能が通常のスケジュール管理機能のアプリケーションとは別のアドインのソフトウェアとして提供される場合の、関連情報表示機能を説明するフローチャートである。
【００９４】
なお、図７および図８では、スケジュール管理部６１とスケジュール関連情報提供部６２とがそれぞれ異なるアプリケーションであり、スケジュール関連情報提供部６２が、スケジュール管理部６１にアドインされるソフトウェアであるとする。
【００９５】
初めに、図７のステップＳ５１において、スケジュール関連情報提供部６２のスケジュール登録情報取得部７１は、現在日から一定期間先までの登録情報を、スケジュール管理部６１に要求する。
【００９６】
スケジュール管理部６１は、ステップＳ５２において、登録情報の要求を受信し、要求された期間内の所定の日の登録情報を、日付とともに、スケジュール関連情報提供部６２に送信する。
【００９７】
スケジュール関連情報提供部６２は、ステップＳ５３において、送信されてきた登録情報を受信し、キーワードを抽出する。即ち、スケジュール登録情報取得部７１が、送信されてきた登録情報を受信してキーワード抽出部７２に供給する。キーワード抽出部７２は、供給された登録情報からキーワードを抽出する。
【００９８】
そして、ステップＳ５４において、アイテム取得部７３は、登録情報から抽出されたキーワードをアプリ関連サーバ４に送信し、その結果返信されてくる、キーワードに関連するアイテム（アイテムのタイトルと詳細情報のURL）とクリック数を取得する。この詳細は図８を参照して後述するが、第２の実施の形態では、アイテム（アイテムのタイトルと詳細情報のURL）とクリック数の両方がアプリ関連サーバ４から取得される。
【００９９】
ステップＳ５５において、重要度ポイント設定部７４は、取得したクリック数に応じて、アイテムにポイントを設定する。
【０１００】
ステップＳ５６において、重要度ポイント設定部７４は、取得したアイテムそれぞれに対し、設定されたポイントが所定の閾値以上であるかを判定する。
【０１０１】
ステップＳ５６で、設定されたポイントが所定の閾値以上であると判定された場合、処理はステップＳ５７に進み、重要度ポイント設定部７４は、取得したアイテム、キーワード、およびポイントを、日付で分類してアイテム記憶部７６に記憶させる。
【０１０２】
一方、ステップＳ５６で、設定されたポイントが所定の閾値未満であると判定された場合、ステップＳ５７の処理がスキップされる。これにより、低いポイント（所定の閾値未満のポイント）のアイテムはアイテム記憶部７６に記憶されずに非表示となる。
【０１０３】
ステップＳ５８において、重要度ポイント設定部７４は、ステップＳ５２の処理で登録情報を送信してきた日付の返信として、その日の登録情報のアイテムとして表示可能な件数をスケジュール管理部６１に送信する。
【０１０４】
ステップＳ５９において、スケジュール管理部６１は、ステップＳ５１の処理で要求された期間の全ての日付について登録情報を送信したかを判定する。
【０１０５】
ステップＳ５９で、要求された期間の全ての日付について登録情報をまだ送信していないと判定された場合、処理はステップＳ５２に戻り、上述したステップＳ５２乃至Ｓ５９の処理が繰り返される。
【０１０６】
一方、ステップＳ５９で、要求された期間の全ての日付について登録情報を送信したと判定された場合、処理はステップＳ６０に進み、スケジュール管理部６１は、表示可能なアイテムの件数を、カレンダ画面２１内の日ごとに表示する。
【０１０７】
ステップＳ６１において、カレンダ画面２１において所定の日付（のセル）が選択されたかを判定する。
【０１０８】
ステップＳ６１で、所定の日付が選択されたと判定された場合、処理はステップＳ６２に進み、スケジュール管理部６１は、予定表示画面２２を表示して、選択された日付の登録情報と表示可能アイテムの件数を表示する。
【０１０９】
一方、ステップＳ６１で、所定の日付が選択されていないと判定された場合、または、ステップＳ６２の処理後、処理はステップＳ６３に進み、スケジュール管理部６１は、表示可能アイテムの件数が選択されたかを判定する。即ち、スケジュール管理部６１は、予定表示画面２２の関連件数表示部２３ａがユーザによって選択されたかを判定する。
【０１１０】
ステップＳ６３で、表示可能アイテムの件数が選択されていないと判定された場合、処理はステップＳ６１に戻り、上述したステップＳ６１乃至Ｓ６３が繰り返される。
【０１１１】
一方、ステップＳ６３で、表示可能アイテムの件数が選択されたと判定された場合、処理はステップＳ６４に進み、スケジュール管理部６１は、選択された日付を、スケジュール関連情報提供部６２に送信する。
【０１１２】
ステップＳ６５において、スケジュール関連情報提供部６２の詳細情報表示制御部７５は、スケジュール管理部６１から送信されてきた日付を受信する。そして、詳細情報表示制御部７５は、アイテム記憶部７６から、受信した日付のアイテムのタイトルとキーワードを取得し、ポイントの高い順に、関連情報詳細表示画面３１により表示する。
【０１１３】
関連情報詳細表示画面３１が表示された後の、スケジュール関連情報提供部６２の詳細情報表示制御部７５による処理は、上述した図５のステップＳ１１及びＳ１２の処理と同様であるので、その説明は省略する。
【０１１４】
なお、図７の処理では、図５の処理と同様に、所定の日付が選択された場合、その選択された日付の登録情報と表示可能アイテムの件数（予定表示画面２２と関連件数表示部２３ａ）を表示し、表示可能アイテムの件数が選択された場合に関連情報詳細表示画面３１を表示するようにした。
【０１１５】
しかし、所定の日付が選択された場合に、即座に、その選択された日付の表示可能アイテムのタイトルとキーワードが表示された関連情報詳細表示画面３１を表示するようにしてもよい。
【０１１６】
［クリック数提供処理のフロー］
図７のステップＳ５４では、第１の実施の形態と異なり、アイテム取得部７３が、アプリ関連サーバ４から、キーワードに関連するアイテムとクリック数の両方を受信する処理とされている。そこで、図８のフローチャートを参照して、図７のステップＳ５４の詳細処理として、アプリ関連サーバ４とサービスサーバ３で行われる一連の処理について説明する。なお、図８においても、サービスサーバ３として、ニュース提供サーバ３Aにアクセスする場合の例で説明する。
【０１１７】
初めに、ステップＳ８１において、スケジュール関連情報提供部６２のアイテム取得部７３は、登録情報から抽出されたキーワードをアプリ関連サーバ４に送信する。
【０１１８】
アプリ関連サーバ４は、ステップＳ８２において、スケジュール関連情報提供部６２から送信されてきたキーワードを受信して、それをニュース提供サーバ３Aに送信する。
【０１１９】
ニュース提供サーバ３Aは、ステップＳ８３において、送信されてきたキーワードを受信して、キーワードに対応するアイテムを検索する。そして、ニュース提供サーバ３Aは、検索の結果得られたアイテムである、ニュースのタイトルとその詳細情報のURLをアプリ関連サーバ４に送信する。
【０１２０】
アプリ関連サーバ４は、ステップＳ８４において、ニュース提供サーバ３Aから送信されてきたアイテムを受信し、ユーザの閲覧情報を管理する内部の管理データ記憶部から、受信したアイテムのクリック数を取得してアイテムに付与する。
【０１２１】
そして、ステップＳ８５として、アプリ関連サーバ４は、キーワードに対応するアイテム（ニュースのタイトルとその詳細情報のURL）とそのクリック数を、スケジュール関連情報提供部６２に送信する。
【０１２２】
以上の一連の処理が行われることにより、スケジュール関連情報提供部６２は、登録情報から抽出されたキーワードをアプリ関連サーバ４に送信することで、キーワードに関連するアイテムとクリック数を同時に取得することができる。
【０１２３】
以上説明したように、スケジュール関連情報提供部６２が、通常のスケジューラ（スケジュール管理部６１）にアドインされるアプリケーションである場合にも、他のスケジューラ（スケジュール管理部６１）に予定を登録するだけで、ユーザは、登録した予定に関連する関連情報を閲覧することができるようになる。これにより、自ら関連情報を検索する手間を省略することができ、利便性が向上する。
【０１２４】
なお、キーワードに関連するアイテムとクリック数の取得方法は、説明する第１乃至第３の実施の形態において、第１の実施の形態として説明した図６の方法、または、第２の実施の形態として説明した図８の方法のいずれを採用してもよい。
【０１２５】
＜第３の実施の形態＞
［関連情報表示機能のみを実現するソフトウェアの例］
次に、関連情報表示機能を実現するスケジュール関連情報提供部６２が、単独のアプリケーション（ソフトウェア）である場合の処理例について説明する。
【０１２６】
図９は、単独のアプリケーションであるスケジュール関連情報提供部６２により実行される関連情報表示制御処理のフローチャートである。この処理は、例えば、単独のアプリケーションとしてのスケジュール関連情報提供部６２が起動されたときに実行される。
【０１２７】
初めに、ステップＳ１０１において、スケジュール登録情報取得部７１は、現在日から一定期間先までの登録情報を、別アプリケーションであるスケジュール管理部６１に要求する。
【０１２８】
ステップＳ１０２において、スケジュール登録情報取得部７１は、要求に応じてスケジュール管理部６１から供給される登録情報を取得する。
【０１２９】
ステップＳ１０３において、キーワード抽出部７２は、取得した登録情報それぞれに対して形態素解析や構文解析などの言語解析を行うことで、キーワードを抽出する。
【０１３０】
ステップＳ１０４において、アイテム取得部７３は、キーワード抽出部７２により抽出されたキーワードをサービスサーバ３に送信し、その結果返信されてくる、キーワードに関連するアイテム（関連情報）を取得する。また、アイテム取得部７３は、送信したキーワードと、そのキーワードで取得したアイテムのタイトルとその詳細情報のURLをアイテム記憶部７６に記憶させる。
【０１３１】
ステップＳ１０５において、重要度ポイント設定部７４は、アイテム取得部７３が取得した１以上のアイテムに対して重要度に応じたポイントを設定する。
【０１３２】
ステップＳ１０４とＳ１０５の処理は、上述した図５のステップＳ３とＳ４の処理と同様である。
【０１３３】
ステップＳ１０６において、詳細情報表示制御部７５は、各アイテムに設定されたポイントに基づいて、表示するアイテムを決定する。
【０１３４】
ステップＳ１０７において、詳細情報表示制御部７５は、表示することが決定されたアイテムのタイトルとキーワードを、ポイントの高い順に、関連情報詳細表示画面３１により表示する。
【０１３５】
ステップＳ１０８において、詳細情報表示制御部７５は、関連情報詳細表示画面３１において所定のセル４１が選択されたかを判定する。即ち、詳細情報表示制御部７５は、関連情報詳細表示画面３１に表示した複数のアイテムのタイトルとキーワードのなかの、いずれか１つが選択されたかを判定する。
【０１３６】
ステップＳ１０８では、関連情報詳細表示画面３１の所定のセル４１が選択されたと判定されるまで処理が待機される。そして、ステップＳ１０８で、関連情報詳細表示画面３１の所定のセル４１が選択されたと判定された場合、処理はステップＳ１０９に進み、詳細情報表示制御部７５は、選択されたセル４１のアイテムの詳細情報を表示する。
【０１３７】
ステップＳ１１０において、スケジュール関連情報提供部６２は、アプリケーションの終了が指示されたかを判定する。ステップＳ１１０で、アプリケーションの終了が指示されていないと判定された場合、処理はステップＳ１０８に戻り、上述したステップＳ１０８乃至Ｓ１１０の処理が繰り返される。
【０１３８】
一方、ステップＳ１１０で、アプリケーションの終了が指示されたと判定された場合、関連情報表示制御処理は終了する。
【０１３９】
以上のように、単独のアプリケーションとして関連情報表示機能が実現される場合には、通常のスケジューラ（スケジュール管理部６１）から、所定期間の登録情報が取得される。そして、取得された登録情報に関するアイテムが取得され、重要度が設定される。そして、スケジュール関連情報提供部６２が、重要度に応じた順にアイテムを表示した関連情報詳細表示画面３１を表示する。
【０１４０】
従って、他のスケジューラ（スケジュール管理部６１）に予定を登録するだけで、ユーザは、登録した予定に関連する関連情報を閲覧することができるようになる。これにより、自ら関連情報を検索する手間を省略することができ、利便性が向上する。
【０１４１】
なお、上述した実施の形態では、主に、携帯端末１がアプリ関連サーバ４に蓄積されている他のユーザの閲覧状況（クリック数）を利用することが説明されていた。しかし、携帯端末１では、携帯端末１のユーザがアイテムの詳細を閲覧したことを示す情報を、他のユーザのために送信することも行われる。具体的には、図３関連情報詳細表示画面３１の所定のセル４１が選択された場合に、スケジュール閲覧情報管理部６２は、選択されたセル４１のアイテムが閲覧されたことを示す情報をアプリ関連サーバ４に送信する。
【０１４２】
［変形例］
本技術の実施の形態は、上述した実施の形態に限定されるものではなく、本技術の要旨を逸脱しない範囲において種々の変更が可能である。
【０１４３】
上述した実施の形態では、サービスサーバ３の一例として、ニュース提供サーバ３A、画像提供サーバ３B、及び、コミュニケーションサービスサーバ３Cを例に挙げて説明した。
【０１４４】
サービスサーバ３のその他の例としては、コンサートチケットの販売を行うWEBサイトなどとすることができ、この場合、キーワードとして抽出された地名（場所）で開催されるコンサートの情報をアイテムとして表示することができる。その他、アーティストのCDやDVDを販売しているWEBサイトがサービスサーバ３である場合には、ユーザが以前購入したことがあるアーティストの情報をアイテムとして表示することができる。
【０１４５】
また、上述した実施の形態では、他のユーザの操作履歴（クリック数）に応じてアイテムの重要度を設定したが、携帯端末１のユーザ本人の操作履歴に基づいてアイテムの重要度を設定してもよい。例えば、ニュース、動画、RSS、ツイッターなどの分類ごとのユーザの閲覧履歴を記憶しておき、全体の閲覧回数に対する各分類の閲覧回数などで、分類ごとの閲覧の比率（閲覧頻度）を算出し、閲覧の比率が多い分類に属するアイテムには高い重要度を設定するようにさせることができる。また、アイテムを取得した取得先ごとの閲覧の比率を算出して、重要度を設定してもよい。
【０１４６】
キーワードに基づいて取得された複数のアイテムを表示する場合、取得されるアイテムの数が多数となることが想定されるため、以下のような様々なアイテムの表示方法を採用することができる。
【０１４７】
例えば、詳細情報表示制御部７５は、ユーザの操作履歴を記録し、ユーザの１件当たりのアイテムの閲覧にかかる時間を算出して保持しておくことができる。そして、詳細情報表示制御部７５は、例えば、アプリケーション起動時に空き時間を入力（所定の項目からの選択も含む）させて、保持してある１件当たりの閲覧時間から、空き時間に閲覧可能な件数Nを算出して、アイテムの表示件数（ポイントの高い順の上位N個）とすることができる。
【０１４８】
アイテムは、スライドショーのように、１件当たりの閲覧時間が経過した時点で、自動的に次のアイテムを順次表示させるようにすることができる。ただし、ユーザの意思により、前のアイテムに戻ったり、次のアイテムに進められることが必要である。そして、空き時間が終了したら、アプリケーションを強制終了するようにしてもよい。
【０１４９】
また、ユーザの空き時間を算出する方法として、スケジューラ５１に入力された予定から、ユーザの空き時間を算出してもよい。また、ナビゲーション装置（ナビゲーションソフト）が利用可能である場合には、電車待ちの時間や電車に乗っている時間などを、空き時間として、自動で（スケジュール関連情報提供部６２が）設定するようにしてもよい。
【０１５０】
関連情報詳細表示画面３１のアニメーション的な見せ方として、空き時間の残り時間に基づいて卵が割れていく様子をアニメーションとして描画し、ひよこが生まれたら、ひよこがアイテムのタイトルを上から順に食べてしまい、次のアイテムのタイトルに移行するような表示を採用することができる。
【０１５１】
上述した実施の形態では、スケジューラ５１、アドインソフトまたは単独アプリケーションとしてのスケジュール関連情報提供部６２は、携帯端末１にインストールされて、実行されるアプリケーションであると説明した。しかし、スケジューラ５１またはスケジュール関連情報提供部６２は、デスクトップ型のパーソナルコンピュータやWEBサーバにインストールされ、ユーザにサービス提供されるアプリケーションでもよい。
【０１５２】
上述した実施の形態では、キーワードに基づくアイテムは、サービスサーバ３のみから取得されるようになされていたが、携帯端末１内や、携帯端末１が接続されているLAN内の他の機器から取得するようにしてもよい。例えば、携帯端末１内のコンテンツ管理ソフトで登録されているコンテンツ（映像や音楽のファイル）のアーティストをキーワードとしてアーティストに関連するコンサートやブログの情報などをアイテムとして取得してもよい。
【０１５３】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０１５４】
図１０は、上述した一連の処理をプログラムにより実行するコンピュータのハードウェアの構成例を示すブロック図である。
【０１５５】
コンピュータにおいて、CPU（Central Processing Unit）１０１，ROM（Read Only Memory）１０２，RAM（Random Access Memory）１０３は、バス１０４により相互に接続されている。
【０１５６】
バス１０４には、さらに、入出力インタフェース１０５が接続されている。入出力インタフェース１０５には、入力部１０６、出力部１０７、記憶部１０８、通信部１０９、及びドライブ１１０が接続されている。
【０１５７】
入力部１０６は、キーボード、マウス、マイクロホンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、或いは半導体メモリなどのリムーバブル記録媒体１１１を駆動する。
【０１５８】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【０１５９】
コンピュータでは、プログラムは、リムーバブル記録媒体１１１をドライブ１１０に装着することにより、入出力インタフェース１０５を介して、記憶部１０８にインストールすることができる。また、プログラムは、ローカルエリアネットワーク、インターネット、デジタル衛星放送といった、有線または無線の伝送媒体を介して、通信部１０９で受信し、記憶部１０８にインストールすることができる。その他、プログラムは、ROM１０２や記憶部１０８に、あらかじめインストールしておくことができる。
【０１６０】
本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０１６１】
なお、本明細書において、システムとは、複数の装置により構成される装置全体を表すものである。
【０１６２】
なお、本技術は以下のような構成も取ることができる。
（１）
スケジュールに登録されている登録情報に関連する関連情報を取得する関連情報取得部と、
取得された前記関連情報を重要度に応じて所定の表示部に表示させる表示制御部と
を備える情報処理装置。
（２）
現在日から一定期間先までに登録されている前記登録情報を、前記スケジュールを管理するスケジューラから取得する登録情報取得部をさらに備える
前記（１）に記載の情報処理装置。
（３）
前記登録情報からキーワードを抽出するキーワード抽出部をさらに備え、
前記関連情報取得部は、前記登録情報から抽出された前記キーワードに関連する情報を取得することで、前記登録情報に関連する関連情報を取得する
前記（１）または（２）に記載の情報処理装置。
（４）
前記関連情報は、前記キーワードがタイトルまたは説明文に含まれる情報である
前記（３）に記載の情報処理装置。
（５）
前記関連情報取得部により取得された前記関連情報に対して、前記重要度を設定する重要度設定部をさらに備える
前記（２）ないし（４）のいずれかに記載の情報処理装置。
（６）
前記重要度設定部は、他のユーザの閲覧状況に応じた前記重要度を設定する
前記（５）に記載の情報処理装置。
（７）
前記登録情報であるユーザの予定をカレンダ上に表示するスケジューラをさらに備える
前記（２）ないし（６）のいずれかに記載の情報処理装置。
（８）
関連情報取得部と表示制御部を備え、スケジュールに登録されている情報を処理する情報処理装置の、
前記関連情報取得部が、前記スケジュールに登録されている登録情報に関連する関連情報を取得し、
前記表示制御部が、取得された前記関連情報を重要度に応じて所定の表示部に表示させる
ステップを含む情報処理方法。
（９）
コンピュータに、
スケジュールに登録されている登録情報に関連する関連情報を取得し、
取得された前記関連情報を重要度に応じて所定の表示部に表示させる
ステップを含む処理を実行させるためのプログラム。
【符号の説明】
【０１６３】
１  携帯端末，  ３A  ニュース提供サーバ，  ３B  画像提供サーバ，  ３C  コミュニケーションサービスサーバ，  ４  アプリ関連サーバ，  ５１  スケジューラ，  ３１  関連情報詳細表示画面，  ２２  予定表示画面，  ２３ａ  関連件数表示部，  ６１  スケジュール管理部，  ６２  スケジュール関連情報提供部，  ７１  スケジュール登録情報取得部，  ７２  キーワード抽出部，  ７３  アイテム取得部，  ７４  重要度ポイント設定部，  ７５  詳細情報表示制御部，  ７６  アイテム記憶部
【図１】
2012226649.tif 000003
【図２】
2012226649.tif 000004
【図３】
2012226649.tif 000005
【図４】
2012226649.tif 000006
【図５】
2012226649.tif 000007
【図６】
2012226649.tif 000008
【図７】
2012226649.tif 000009
【図８】
2012226649.tif 000010
【図９】
2012226649.tif 000011
【図１０】
2012226649.tif 000012